(57)【要約】【課題】異なる通信手段を有するデータ通信装置間で宛先情報を効率的に流用できるようにする。【解決手段】グループ宛先情報をインポートする場合に、そのグループ宛先情報を構成するメンバ宛先情報毎に、インポートを行うデータ通信装置に当該メンバ宛先情報に対応するデータ送信手段が搭載されているか否かをチェックし、搭載されているデータ通信手段に対応するメンバ宛先情報だけを選択的にインポートする。【選択図】図８
2006164296.tif 000002
【特許請求の範囲】
【請求項１】
入力されたデータを送信するための送信手段であって、各々通信方式の異なる複数の通信方式のいずれかを用いて送信処理を実行可能な送信手段と、
前記送信手段がデータを送信する宛先を特定するための宛先情報を、前記複数の通信方式のいずれかに対応付けて管理する管理手段と、
前記入力されたデータを送信する宛先を、前記管理手段が管理する前記宛先情報に基づいて選択する選択手段と、
前記入力されたデータを、前記選択手段により選択された宛先に、該宛先に対応付けられた前記通信方式を用いて送信するよう制御する制御手段とを有し、
前記管理手段は、外部装置に記録されている複数の宛先情報をインポートして管理する場合において、前記複数の宛先情報のうち、前記複数の通信方式の中で送信処理が実行可能な状態となっている通信方式に対応付けられた宛先情報を前記選択手段による選択が可能な情報としてインポートし、前記複数の宛先情報のうち、前記複数の通信方式の中で送信処理が実行不可能な状態となっている通信方式に対応付けられた宛先情報を前記選択手段による選択が不能な情報としてインポートすることを特徴とするデータ通信装置。
【請求項２】
前記管理手段は、前記選択手段による選択が不能な宛先情報に対応付けられた通信方式が実行可能な状態となったことに応じて、前記宛先情報を前記選択手段による選択が可能な情報とすることを特徴とする請求項１記載のデータ通信装置。
【請求項３】
入力されたデータを送信するための送信手段であって各々通信方式の異なる複数の通信方式のいずれかを用いて送信処理を実行可能な送信手段と、前記送信手段がデータを送信する宛先を特定するための宛先情報を、前記複数の通信方式のいずれかに対応付けて管理する管理手段とを有するデータ通信装置のデータ通信方法において、
前記入力されたデータを送信する宛先を、前記管理手段が管理する前記宛先情報に基づいて選択する選択工程と、
前記入力されたデータを、前記選択工程にて選択された宛先に、該宛先に対応付けられた前記通信方式を用いて送信するよう制御する制御工程とを有し、
外部装置に記録されている複数の前記宛先情報をインポートして管理する場合において、前記複数の宛先情報のうち、前記複数の通信方式の中で送信処理が実行可能な状態となっている通信方式に対応付けられた宛先情報を前記選択工程にて選択可能な情報としてインポートし、前記複数の宛先情報のうち、前記複数の通信方式の中で送信処理が実行不可能な状態となっている通信方式に対応付けられた宛先情報を前記選択工程にて選択不能な情報としてインポートすることを特徴とするデータ通信方法。
【請求項４】
前記管理手段は、前記選択工程にて選択不能な宛先情報に対応付けられた通信方式が実行可能な状態となったことに応じて、前記宛先情報を前記選択工程にて選択可能な情報とすることを特徴とする請求項３記載のデータ通信方法。
【発明の詳細な説明】
【技術分野】
【０００１】
本発明は、送信データの宛先を管理する宛先管理技術に関する。
【背景技術】
【０００２】
近年、複数の異なるデータ送信コンポーネントを有するデータ通信装置が提案されている。係るデータ通信装置では、電子メール送信コンポーネントやファクシミリ送信コンポーネント等の各送信コンポーネントごとに宛先情報を管理している。
【０００３】
更に、他のデータ通信装置で使用している複数の宛先情報を上記データ通信装置にインポートして、上記データ通信装置でインポートした宛先情報を利用する技術も提案されている。
【発明の開示】
【発明が解決しようとする課題】
【０００４】
しかしながら、上記従来例では、インポート元のデータ通信装置とインポート先のデータ通信装置とで装着されている送信コンポーネントが異なる場合等、インポート先のデータ通信装置で使用できない送信コンポーネントがあると、利用できない宛先情報までもがインポートされてしまうという問題があった。
【０００５】
そして、この利用できない宛先情報をユーザが誤って使用してしまうことで送信エラーが発生してしまうという問題もあった。
【０００６】
更に、この送信エラーを回避するためには利用できない宛先情報をいちいち手動で取り除く必要があるなど、ユーザにとって使い難いものとなっていた。
【０００７】
本発明は、このような背景の下になされたもので、その課題は、異なる通信手段を有するデータ通信装置間で宛先情報を効率的に流用できるようにすることにある。
【課題を解決するための手段】
【０００８】
上記課題を解決するため、本発明のデータ通信装置は、入力されたデータを送信するための送信手段であって、各々通信方式の異なる複数の通信方式のいずれかを用いて送信処理を実行可能な送信手段と、前記送信手段がデータを送信する宛先を特定するための宛先情報を、前記複数の通信方式のいずれかに対応付けて管理する管理手段と、前記入力されたデータを送信する宛先を、前記管理手段が管理する前記宛先情報に基づいて選択する選択手段と、前記入力されたデータを、前記選択手段により選択された宛先に、該宛先に対応付けられた前記通信方式を用いて送信するよう制御する制御手段とを有し、前記管理手段は、外部装置に記録されている複数の宛先情報をインポートして管理する場合において、前記複数の宛先情報のうち、前記複数の通信方式の中で送信処理が実行可能な状態となっている通信方式に対応付けられた宛先情報を前記選択手段による選択が可能な情報としてインポートし、前記複数の宛先情報のうち、前記複数の通信方式の中で送信処理が実行不可能な状態となっている通信方式に対応付けられた宛先情報を前記選択手段による選択が不能な情報としてインポートすることを特徴とする。
【０００９】
また、上記課題を解決するために、本発明のデータ通信方法は、入力されたデータを送信するための送信手段であって各々通信方式の異なる複数の通信方式のいずれかを用いて送信処理を実行可能な送信手段と、前記送信手段がデータを送信する宛先を特定するための宛先情報を、前記複数の通信方式のいずれかに対応付けて管理する管理手段とを有するデータ通信装置のデータ通信方法において、前記入力されたデータを送信する宛先を、前記管理手段が管理する前記宛先情報に基づいて選択する選択工程と、前記入力されたデータを、前記選択工程にて選択された宛先に、該宛先に対応付けられた前記通信方式を用いて送信するよう制御する制御工程とを有し、外部装置に記録されている複数の前記宛先情報をインポートして管理する場合において、前記複数の宛先情報のうち、前記複数の通信方式の中で送信処理が実行可能な状態となっている通信方式に対応付けられた宛先情報を前記選択工程にて選択可能な情報としてインポートし、前記複数の宛先情報のうち、前記複数の通信方式の中で送信処理が実行不可能な状態となっている通信方式に対応付けられた宛先情報を前記選択工程にて選択不能な情報としてインポートすることを特徴とする。
【発明の効果】
【００１０】
以上説明したように、本発明によれば、利用できない宛先情報をユーザが誤って使用して送信エラーが発生するという問題を回避しつつ、送信処理が実行不可能な状態から実行可能な状態となった通信方式に対応付けられた宛先情報を再びインポートする手間を不要とすることができる。
【発明を実施するための最良の形態】
【００１１】
以下、本発明の実施の形態を図面に基づいて説明する。
【００１２】
図１は、本発明を適用した通信システムの概略構成を示すシステム構成図である。
【００１３】
図１において、複写機１００１は、デジタル複合機として構成され、スキャナ２０７０、プリンタ２０９５（図２参照）の他に、スキャナ２０７０により読み取られた画像データを各種の装置に送信する機能を有している。
【００１４】
プリンタ１００２は、複写機１００１のスキャナ２０７０により読み取られた画像データを印刷するリモートプリンタとして機能する。ファクシミリ装置１００３は、複写機１００１のスキャナ２０７０により読み取られた画像データを受信する。
【００１５】
データベース／メールサーバ１００４は、複写機１００１のスキャナ２０７０により読み取られたデータを蓄積する。このデータベース／メールサーバ１００４に蓄積されたデータは、クライアントコンピュータ１００５により活用される。
【００１６】
イーサネット(登録商標)１００６は、複写機１００１、プリンタ１００２，ファクシミリ装置１００３，データベース／メールサーバ１００４，クライアントコンピュータ１００５を接続し、これら装置間でデータ送受信を行うためのネットワークとして利用される。なお、イーサネット(登録商標)１００６には、図４に示したように、複写機４００１、４００２も接続されている。
【００１７】
図２は、複写機１００１、４００１、４００２の概略構成を示すブロック図である。
【００１８】
コントローラ・ユニット２０００は、画像入力デバイスであるスキャナ２０７０や画像出力デバイスであるプリンタ２０９５と接続し、一方ではイーサネット(登録商標)１００６を含むＬＡＮ２０１１や公衆回線（ＷＡＮ）２０５１に接続することで、画像情報やデバイス情報の入出力等を行うユニットである。
【００１９】
ＣＰＵ２００１は、複写機１００１全体を制御するコントローラである。ＲＡＭ２００２は、ＣＰＵ２００１が動作するためのワークメモリとして機能し、画像データを一時記憶するための画像メモリとしても機能する。
【００２０】
ＲＯＭ２００３は、ブートＲＯＭとして機能し、ブートプログラムが格納されている。ＨＤＤ２００４は、ハードディスクドライブであり、各種のソフトウェア、画像データ等を格納する。
【００２１】
操作部Ｉ／Ｆ２００６は、タッチパネルを有する操作部（ＵＩ）２０１２とのインターフェース部であり、操作部２０１２に表示する画像データを操作部２０１２に対して出力する。また、操作部２０１２から入力された情報を、ＣＰＵ２００１に伝える役割を果たす。
【００２２】
Ｎｅｔｗｏｒｋ  Ｉ／Ｆ２０１０は、ＬＡＮ２０１１に接続され、情報の入出力を行う。Ｍｏｄｅｍ２０５０は、公衆回線２０５１に接続され、情報の入出力を行う。以上のデバイスがシステムバス２００７上に配置される。
【００２３】
Ｉｍａｇｅ  ＢｕステップＳ  Ｉ／Ｆ２００５は、システムバス２００７と画像データを高速で転送する画像バス２００８を接続し、データ構造を変換するバスブリッジである。画像バス２００８は、ＰＣＩバスまたはＩＥＥＥ１３９４で構成されている。
【００２４】
画像バス２００８上には、以下のデバイスが配置される。ラスターイメージプロセッサ（ＲＩＰ）２０６０は、ＰＤＬコードをビットマップイメージに展開する。デバイスＩ／Ｆ部２０２０は、画像入出力デバイスであるスキャナ２０７０やプリンタ２０９５とコントローラ・ユニット２０００を接続し、画像データの同期系／非同期系の変換を行う。
【００２５】
スキャナ画像処理部２０８０は、入力画像データに対し補正、加工、編集を行う。プリンタ画像処理部は、プリント出力画像データに対して、プリンタの補正、解像度変換等を行う。画像回転部２０３０は、画像データの回転を行う。画像圧縮部２０４０は、多値画像データはＪＰＥＧ、２値画像データはＪＢＩＧ、ＭＭＲ、ＭＨの圧縮伸張処理を行う。
【００２６】
図３は、複写機１００１、４００１、４００２に搭載されたソフトウェアの構成を示すブロック図であり、これらソフトウェアはＨＤＤ２００４に格納されている。ただし、複写機４００２には、ファクシミリ送信コンポーネント３００６、データベース格納コンポーネント３００７は、搭載されていない。
【００２７】
操作部コンポーネント３００１は、宛先管理コンポーネント３００２より宛先情報を取得し、宛先情報の表示を行う。送信管理コンポーネント３００３は、操作部コンポーネント３００１から発行された処理命令に従って、スキャナコンポーネント３００４により原稿画像データを読み取り、宛先管理コンポーネント３００２より宛先情報を取得する。
【００２８】
そして、送信管理コンポーネント３００３は、プリントコンポーネント３００５、ファシミリ送信コンポーネント３００６、データベース格納コンポーネント３００７、或いはメール／Ｉファクス送信コンポーネント３００８に送信処理命令を発行することにより、それぞれ、プリンタ１００２、ファクシミリ装置１００３、或いはデータベース／メールサーバ１００４に向けて、原稿画像データを送信させる。
【００２９】
また、ファクシミリ装置１００３、クライアントコンピュータ１００５から送信されたファクシミリデータ、Ｉ（インターネット）ファクス画像データは、それぞれファクシミリ受信コンポーネント３００９、Ｉファクス受信コンポーネント３０１０により受信される。そして、これら受信データは、転送管理コンポーネント３０１１により送信管理コンポーネント３００３に供給され、宛先管理コンポーネント３００２により管理されている転送先に転送される。
【００３０】
各送信コンポーネントのサポート状態は、プリントコンポーネント３００５、ファシミリ送信コンポーネント３００６、データベース格納コンポーネント３００７、メール／Ｉファクス送信コンポーネント３００８から送信管理コンポーネント３００３に対して通知され、この送信管理コンポーネント３００３により一括管理されており、宛先管理コンポーネント３００２は、送信管理コンポーネント３００３により管理されているサポート状態を参照する。
【００３１】
図４は、複写機４００１に記録されている宛先管理情報をエクスポートし、複写機４００２へインポートする場合の構成例を示している。
【００３２】
この構成例では、イーサネット(登録商標)１００６を利用し、クライアントコンピュータ１００５から複写機４００１へアクセスすることにより宛先管理情報をエクスポートし、その後にクライアントコンピュータ１００５から複写機４００２に対してインポートを行っているが、クライアントコンピュータ１００５を介さずに複写機４００２が直接、複写機４００１から宛先管理情報を取得するような構成であってもよい。
【００３３】
このときの接続媒体については、双方向通信可能なものであればいづれでもよく、その接続媒体上において複写機４００１、複写機４００２、クライアントコンピュータ１００５の相互間においてデータ送受信に使用されるプロトコルもＨＴＴＰ（Ｈｙｐｅｒ  Ｔｅｘｔ  Ｔｒａｎｓｆｅｒ  Ｐｒｏｔｏｃｏｌ）、ＦＴＰ（Ｆｉｌｅ  Ｔｒａｎｓｆｅｒ  Ｐｒｏｔｏｃｏｌ）など既知のデータ転送可能なプロトコルであれば何れでもよい。
【００３４】
図５は、エクスポートにより複写機４００１から取得した宛先管理情報を複写機４００２へインポートした場合の、複写機４００２の宛先管理コンポーネント３００２によるインポート処理を示すフローチャートである。
【００３５】
クライアントコンピュータ１００５からインポートを指示された場合、複写機４００２の宛先管理コンポーネント３００２は、ステップＳ５００１において宛先ｉ＝０としてインポート処理を開始し、ステップＳ５００２において宛先ｉを取得する。
【００３６】
次に、ステップＳ５００３において宛先ｉのタイプがグループであるか否かをチェックし、グループでない場合は、図６のステップＳ６００１へ進み、グループである場合は、図７のステップＳ７００１へ進み、それぞれ宛先ｉに関する処理を行う。
【００３７】
前記までの各ステップにより、宛先ｉに関する処理を行った後、宛先ｉがグループでない場合は、図６のステップＳ６０１１を介し、グループである場合は、図７のステップＳ７０１５を介してステップＳ５００４に進む。
【００３８】
ステップＳ５００４では、全ての宛先について処理終了したか否かをチェックし、未処理の宛先が存在する場合は、ステップＳ５００５に進み、宛先ｉ＝ｉ＋１とした後にステップＳ５００２に戻り、前記までの手順を続行する。一方、全ての宛先について処理終了した場合は、ステップＳ５００６に進み、インポート処理を終了する。
【００３９】
図６は、図５のインポート処理対象の宛先ｉがグループでない場合のインポート処理を示すフローチャートである。
【００４０】
宛先ｉがグループでない場合、宛先管理コンポーネント３００２は、ステップＳ６００１において宛先ｉに関するインポート処理を開始する。次に、ステップＳ６００２において宛先ｉのタイプがファックスであるか否かをチェックし、ファックスである場合は、ステップＳ６００３に進み、ファックスサポート情報を送信管理コンポーネント３００３より取得する。
【００４１】
一方、宛先ｉのタイプがファックスでない場合は、ステップＳ６００４に進み、タイプがデータベースであるか否かをチェックし、データベースである場合は、ステップＳ６００５に進み、データベースサポート情報を送信管理コンポーネント３００３より取得する。
【００４２】
一方、宛先ｉのタイプがデータベースでない場合は、ステップＳ６００６に進み、タイプがプリンタであるか否かをチェックし、プリンタである場合は、ステップＳ６０１０に進み、プリンタサポート情報を送信管理コンポーネント３００３より取得する。
【００４３】
一方、宛先ｉのタイプがプリンタでない場合は、ステップＳ６００８に進み、電子メール／Ｉファクスサポート情報を送信管理コンポーネント３００３より取得する。
【００４４】
このようにして、宛先ｉのタイプに応じたサポート情報を取得した後、ステップＳ６００９において、取得したサポート情報が「有り」になっているか否かをチェックし、「有り」の場合は、ステップＳ６０１０に進み、宛先ｉをインポートした後、ステップＳ６０１１に進み、「無し」の場合は、宛先ｉのインポートは行わずにステップＳ６０１１に進み、宛先ｉに関するインポート処理を終了する。
【００４５】
図７，８は、図５のインポート処理対象の宛先ｉがグループである場合のインポート処理を示すフローチャートである。
【００４６】
宛先ｉがグループである場合、宛先管理コンポーネント３００２は、ステップＳ７００１においてｊ＝０として宛先ｉに関するインポート処理を開始し、ステップＳ７００２においてメンバ宛先ｊを取得する。
【００４７】
次に、ステップＳ７００３においてメンバ宛先ｊのタイプがファックスであるか否かをチェックし、ファックスである場合は、ステップＳ７００４に進み、ファックスサポート情報を送信管理コンポーネント３００３より取得する。
【００４８】
一方、メンバ宛先ｊのタイプがファックスでない場合は、ステップＳ７００５に進み、タイプがデータベースであるか否かをチェックし、データベースである場合は、ステップＳ７００６に進み、データベースサポート情報を送信管理コンポーネント３００３より取得する。
【００４９】
一方、メンバ宛先ｊのタイプがデータベースでない場合は、ステップＳ７００７に進み、タイプがプリンタであるか否かをチェックし、プリンタである場合は、ステップＳ７００８に進み、プリンタサポート情報を送信管理コンポーネント３００３より取得する。
【００５０】
一方、メンバ宛先ｊのタイプがプリンタでない場合は、ステップＳ７００９に進み、電子メール／Ｉファクスサポート情報を送信管理コンポーネント３００３より取得する。
【００５１】
このようにして、メンバ宛先ｊのタイプに応じたサポート情報を取得した後、ステップＳ７０１０に進み、取得したサポート情報が「有り」になっているか否かをチェックし、「有り」の場合は、ステップＳ７０１１にてメンバ宛先ｊをインポートした後、ステップＳ７０１２に進み、「無し」の場合は、メンバ宛先ｊのインポートは行わずにステップＳ７０１２に進む。
【００５２】
ステップＳ７０１２では、全てのメンバ宛先について処理終了したかをチェックし、未処理のメンバ宛先が存在する場合は、ステップＳ７０１３に進み、ｊ＝ｊ＋１とした後、ステップＳ７００２に戻り、前記までの手順を続行する。
【００５３】
全てのメンバ宛先について処理終了した場合は、ステップＳ７０１４に進み、グループである宛先ｉをインポートした後、ステップＳ７０１５において宛先ｉに関するインポート処理を終了する。
【００５４】
なお、好ましくは、図６のステップＳ６００９、または図８のステップＳ７０１０の判断ステップで、インポートする宛先に対応する送信コンポーネントが複写機４００２にインストールされていない等により、無効であった場合には、対応の送信コンポーネントが無効であるために宛先がインポートされなかったことを示すメッセージをディスプレイに表示してもよい。
【００５５】
そのメッセージとしては、例えば、「ファックスコンポーネントが無効です。ファックスの宛先が自動的に削除されました」と表示すればよい。このようなメッセージを表示するタイミングとしては、全ての宛先情報のインポートが完了した時点（図５のステップＳ５００６）、或いは１つのグループ宛先情報のインポートが完了した時点（図８のステップＳ７０１５）でもよく、また、宛先情報のインポート中に各宛先に対応するコンポーネントが無効であることが判明した時点菜（図６のステップＳ６００９、または、図８のテップＳ７０１０）でもよい。
【００５６】
図９は、上記のようにして、エクスポートにより複写機４００１から取得した宛先管理情報を複写機４００２へインポートした場合の、宛先管理情報の変化例を示した図である。
【００５７】
複写機４００１よりエクスポートした宛先管理情報には、ファックスおよびデータベースの宛先が含まれているが、複写機４００２にはファックスおよびデータベース機能をサポートしていないため、前記、図５、図６および図７，８の手順により、ファックスおよびデータベースの宛先、およびグループ宛先に含まれるファックスおよびデータベースのメンバ宛先を取り除いた宛先管理情報に再構成される。
【００５８】
このように本実施形態では、データ通信装置に宛先情報をインポートする際に、このデータ通信装置の送信コンポーネントのインストール状態を判別して、その判別結果に応じた宛先情報に再構成してインポートするようにしている。特に、グループ宛先情報をインポートする場合に、そのグループ宛先情報を構成するメンバ宛先情報毎に、インポートを行うデータ通信装置に当該メンバ宛先情報に対応するデータ送信手段が搭載されているか否かをチェックし、搭載されているデータ通信手段に対応するメンバ宛先情報だけを選択的にインポートするようにしている。
【００５９】
従って、データ通信装置の具備するコンポーネントに応じて、インポートする宛先情報を最適化することができる。そして、インポートされた宛先情報をユーザが利用する際に、対応コンポーネントが存在しないことでエラーが発生するのを未然に防止することが可能となる。
【００６０】
なお、上記実施形態以外の種々の変形例についても本発明は適用される。
例えば、上記実施形態では、対応する送信コンポーネントが無効である宛先情報はインポートしない構成としたが、その変形例として、当該宛先情報に対して使用不可のステータスを付加してインポートし、使用不可のステータスの宛先情報はユーザが使用できないように制御してもよい。その後、当該使用不可の宛先情報に対応する送信コンポーネントが有効となった場合には、使用不可のステータスを解除すればよい。この変形例によれば、対応する送信コンポーネントが無効のため使用できない宛先情報については、当該送信コンポーネントが有効になってから使用可能とするので、宛先情報の再インポートの手間を不要とする効果がある。
【００６１】
また、上記実施形態では、複数の通信コンポーネントを備えた複写機という１つの通信装置を例に説明したが、ホストコンピュータとモデムユニットやＬＡＮユニット等のデバイスが所定のインターフェースを介して接続して成るシステムにも適用することができる。
【００６２】
また、本発明の課題は、前述した実施形態の機能を実現するソフトウェアのプログラムコードをコンピュータ可読な記録媒体に記憶し、システムあるいは装置のコンピュータ（またはＣＰＵやＭＰＵ）がこの記録媒体に格納されたプログラムコードを読み出し、実行することによっても達成される。この場合、記憶媒体から読み出されたプログラムコード自体が前述した実施形態の機能を実現することになり、そのプログラムコードを記憶した記録媒体は本発明を構成することになる。
【００６３】
プログラムコードを供給するための記憶媒体としては、例えば、フロッピー(登録商標)ディスク、ハードディスク、光ディスク、光磁気ディスク、ＣＤ−ＲＯＭ、ＣＤ−Ｒ、磁気テープ、不揮発性のメモリカード、ＲＯＭ、ＤＶＤなどを用いることができる。
【００６４】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれる。
【００６５】
さらに、記憶媒体から読出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【００６６】
また、このときのプログラムコードは、ＣＰＵネイティブなコードであってもよいし、所定のインタプリタ言語で記述されたものでランタイム時にＣＰＵネイティブなコードに変換されるようなものでもよいし、所定様式で記述されたスクリプトデータであってオペレーティングシステムにより解釈実行されるようなものであってもよい。
【図面の簡単な説明】
【００６７】
【図１】本発明を適用した通信システムの概略構成を示すシステム構成図である。
【図２】複写機の概略構成を示すブロック図である。
【図３】複写機に搭載されたソフトウェアの構成を示すブロック図である。
【図４】宛先管理情報をエクスポート、インポートする装置を例示した図である。
【図５】宛先管理情報のインポート処理を示すフローチャートである。
【図６】インポート処理対象の宛先情報がグループでない場合のインポート処理を示すフローチャートである。
【図７】インポート処理対象の宛先情報がグループである場合のインポート処理を示すフローチャートである。
【図８】図７の続きのフローチャートである。
【図９】宛先管理情報をインポートした場合の宛先管理情報のデータ再構成例を示す図である。
【符号の説明】
【００６８】
１００１，４００１，４００２：複写機
１００５：クライアントコンピュータ
１００６：イーサネット(登録商標)
２０００：コントローラ・ユニット
２００１：ＣＰＵ
２００２：ＲＡＭ
２００３：ＲＯＭ
２００４：ハードディスク
２０１１：ＬＡＮ
２０１２：操作部
２０５１：ＷＡＮ
２０７０：スキャナ
２０８０：スキャナ画像処理部
２０９０：プリンタ画像処理部
２０９５：プリンタ
３００１：操作部コンポーネント
３００２：宛先管理コンポーネント
３００３：送信管理コンポーネント
３００４：スキャナコンポーネント
３００５：プリントコンポーネント
３００６：ファクシミリ送信コンポーネント
３００７：データベース格納コンポーネント
３００８：メール／Ｉファクス送信コンポーネント
３００９：ファクシミリ受信コンポーネント
３０１０：Ｉファクス受信コンポーネント
３０１１：転送管理コンポーネント
【図１】
2006164296.tif 000003
【図２】
2006164296.tif 000004
【図３】
2006164296.tif 000005
【図４】
2006164296.tif 000006
【図５】
2006164296.tif 000007
【図６】
2006164296.tif 000008
【図７】
2006164296.tif 000009
【図８】
2006164296.tif 000010
【図９】
2006164296.tif 000011